(57)【要約】【課題】  電源ユニットから発生する熱を効率よく放出可能で、基板付リールユニットに対応した構造を有する遊技機を提供する。【解決手段】  スロットマシンは、筐体２内部の上側領域Ｓ１に基板付リールユニット５を配置し、下側領域Ｓ２に電源ユニット１０を配置し、基板付リールユニット５よりも下に中継基板１８を配置する。中板４には主挿通孔３０を設ける。主挿通孔３０は、電源ユニット１０から、基板付リールユニット５の主制御基板４０および副制御基板４１に電力を供給する主電源ケーブル５０、副電源ケーブル５１と、中継基板１８から信号を入力するための主中継ケーブル５２、副中継ケーブル５３とが挿通可能で、それらをすべて挿通した状態で、コネクタを挿通可能な隙間が形成され、少なくとも主電源ケーブ５０、副電源ケーブル５１が挿通されている。【選択図】  図２
2005073952.tif 000002
【特許請求の範囲】
【請求項１】
筐体内部を上下に二分するように設けられた中板を有する遊技機であって、
前記中板により仕切られる前記筐体内部の上側領域に配置され、複数のリールを有するリールユニットと、ゲーム内容に直接的に関与する動作を制御するための主制御基板およびゲーム内容に直接的には関与しない動作を制御するための副制御基板とが一体化された基板付リールユニットと、
前記中板により仕切られる前記筐体内部の下側領域に配置され、前記主制御基板および副制御基板に電力を供給する電源ユニットと、
前記基板付リールユニットよりも下側に配置され、前記主制御基板および副制御基板に信号を入出力する中継基板とを有し、
前記中板は、前記電源ユニットから前記主制御基板および副制御基板にそれぞれ電力を供給する主電源ケーブルおよび副電源ケーブルと、前記中継基板から前記主制御基板および副制御基板にそれぞれ信号を入出力するための主中継ケーブルおよび副中継ケーブルとが挿通可能で、前記各ケーブルすべてを挿通した状態で、前記いずれかのケーブルに固着されているコネクタを挿通可能な隙間が形成される主挿通孔を有し、該主挿通孔に、少なくとも前記主電源ケーブルおよび副電源ケーブルが挿通されていることを特徴とする遊技機。
【請求項２】
前記主挿通孔が、基板付リールユニットよりも前記電源ユニットに近い、前記電源ユニットのほぼ真上位置に設けられていることを特徴とする請求項１記載の遊技機。
【請求項３】
前記主挿通孔に、前記主電源ケーブルおよび副電源ケーブルとともに、前記主中継ケーブルおよび副中継ケーブルが挿通されていることを特徴とする請求項１または２記載の遊技機。
【発明の詳細な説明】
【技術分野】
【０００１】
本発明はシンボルが外周面に付された機械式リールを複数有するパチスロ機、スロットマシン等の遊技機に関する。
【背景技術】
【０００２】
従来から、ゲームの入賞内容に応じて、メダルや硬貨等のゲームで使用する遊技媒体（以下「コイン」という）を払い出す遊技機として、スロットマシンが知られている。スロットマシンは、シンボルが外周面に付された機械式リールを複数有し、各リールが停止した時点で所定の窓位置にきた各リールのシンボルの組み合わせにより、ゲームで入賞するか否かおよび入賞した場合の態様（入賞態様）が確定する。
【０００３】
従来のスロットマシンは、各リールとその駆動機構とが一つにまとまったリールユニットを有している。このリールユニットは、ある程度の大きさと重さを有することから、内部を上下に二分するようにして、筐体に固定された中板（ミドルボードともいう）に載置されていた。従来、このような構成を有する遊技機に関して、例えば特許文献１や特許文献２があった。
【０００４】
【特許文献１】特開２００１−２５５２５号公報
【特許文献２】実開昭６１−１９２３７４号公報
【０００５】
従来のスロットマシンは、リールの回転および停止や、ゲームの入賞可否判定のように、ゲーム内容に直接的に関与する動作を制御する制御ユニットが搭載された主制御基板（メイン基板ともいう）と、ゲームに合わせた音声出力等のように、ゲーム内容に直接的に関与しないゲーム演出用の動作を制御する制御ユニットが搭載された副制御基板（サブ基板ともいう）とが設けられていた。いずれの基板も、作動させるためには電力の供給が必要であるが、電力を供給する電源ユニットは中板よりも下に固定されている。そのため、各基板への電力供給は、中板を跨ぐようにして行わねばならず、このことから、中板には、各基板への電力供給用の電源ケーブルを通すための切り欠きまたは挿通孔が複数設けられていた。
【発明の開示】
【発明が解決しようとする課題】
【０００６】
上述のとおり、従来の遊技機は、中板に複数の切り欠きまたは挿通孔が設けられているが、いずれも、通常の使用状態ではケーブルが挿通されているので、ふさがっている。そのため、従来の遊技機は、筐体内部の上下を跨ぐ空気の循環が無くなることにより、電源ユニットから発生する熱の放出が中板により遮断され、電源ユニットから発生する熱が筐体下半分の領域にこもりやすくなっていた。
【０００７】
一方、近年の遊技機は、機種変更をできるだけ簡便に行えるようにしたい、というニーズがある。機種変更は、主にゲームの仕様変更によって行われるが、そのためには、機種に依存するリール（のシンボル）や、各基板に搭載されているＲＯＭ(Read Only Memory)を交換しなければならない。したがって、上述のニーズに的確に応えるためには、リールユニット、主制御基板および副制御基板を一体的に取り扱えるように、これらを一体にした基板付リールユニットを設け、機種変更その他のメンテナンス作業が簡便に行えることが望ましい。
【０００８】
しかし、従来の中板は、切り欠きや挿通孔が基板付リールユニットの背面側に配置されるなど、切り欠きや挿通孔が基板付リールユニットに対応していなかった。そのため、基板付リールユニットを筐体に搭載すると、電源ユニットと主制御基板および副制御基板との間のケーブルの引き回しが長くなり、切り欠きや挿通孔に挿通し難くなるなどから、メンテナンス作業が煩わしくなるおそれがあった。したがって、中板により電源ユニットから発生する熱が遮断されずに効率よく放出されるだけでなく、中板を基板付リールユニットに対応した構造にすることが必要である。
【０００９】
そこで、本発明は上記課題を解決するためになされたもので、電源ユニットから発生する熱を効率よく放出可能で、基板付リールユニットに対応した構造を有する遊技機を提供することを目的とする。
【課題を解決するための手段】
【００１０】
上記課題を解決するため、本発明は、筐体内部を上下に二分するように設けられた中板を有する遊技機であって、中板により仕切られる筐体内部の上側領域に配置され、複数のリールを有するリールユニットと、ゲーム内容に直接的に関与する動作を制御するための主制御基板およびゲーム内容に直接的には関与しない動作を制御するための副制御基板とが一体化された基板付リールユニットと、中板により仕切られる筐体内部の下側領域に配置され、主制御基板および副制御基板に電力を供給する電源ユニットと、基板付リールユニットよりも下側に配置され、主制御基板および副制御基板に信号を入出力する中継基板とを有し、中板は、電源ユニットから主制御基板および副制御基板にそれぞれ電力を供給する主電源ケーブルおよび副電源ケーブルと、中継基板から主制御基板および副制御基板にそれぞれ信号を入出力するための主中継ケーブルおよび副中継ケーブルとが挿通可能で、各ケーブルすべてを挿通した状態で、いずれかのケーブルに固着されているコネクタを挿通可能な隙間が形成される主挿通孔を有し、その主挿通孔に、少なくとも主電源ケーブルおよび副電源ケーブルが挿通されている遊技機を特徴とする。
【００１１】
この遊技機は、中板の主挿通孔に基板付リールユニットにつながる４本のケーブルを挿通することができる。主挿通孔は、４本のケーブルを挿通しても、ケーブルのコネクタを挿通可能な隙間が形成されるので、筐体内部の上側領域と下側領域内の空気の循環が妨げられない。
【００１２】
上記遊技機は、主挿通孔が、基板付リールユニットよりも電源ユニットに近い、電源ユニットのほぼ真上位置に設けられていることが好ましい。
こうすると、各ケーブルが基板付リールユニットの背後に隠れてしまうことがなく、また、主挿通孔が、電源ユニットから発生する熱の主要な伝達経路上に配置されるようになる。
【００１３】
さらに、主挿通孔に、主電源ケーブルおよび副電源ケーブルとともに、主中継ケーブルおよび副中継ケーブルが挿通されていることが好ましい。
これにより、基板付リールユニットにつながる４本のケーブルをうまくまとめられるようになる。
【発明の効果】
【００１４】
本発明によれば、電源ユニットから発生する熱を効率よく放出可能で、基板付リールユニットを搭載するためのケーブル配線が簡略化され、メンテナンス作業を容易に行える遊技機が得られる。
【発明を実施するための最良の形態】
【００１５】
以下、図面を参照して本発明に係る遊技機の実施の形態について説明する。
図１は、本実施の形態に係る遊技機であるスロットマシン１の扉開放状態を示す正面図である。スロットマシン１は、筐体２と、図示しないヒンジにより、筐体２に開閉自在に取り付けられた扉３とを有している。筐体２は、スロットマシン１の外殻を構成している。この筐体２は金属板を組み立てて形成され、側板部２ａ，２ｂと、底板部２ｃおよび天板部２ｄとを有している。また、スロットマシン１は、筐体２の内部を上側領域Ｓ１と下側領域Ｓ２に二分する（上下に分割する）ように、金属製の中板４が設けられている。
【００１６】
スロットマシン１は、中板４により仕切られる筐体２内部の上側領域Ｓ１に基板付リールユニット５が配置され、筐体２内部の下側領域Ｓ２にスロットマシン１の動作に必要な電力を供給する電源ユニット１０が配置されている。電源ユニット１０は、底板部２ｃのヒンジ側（図の左側）に固定されている。また、下側領域Ｓ２には、電源ユニット１０に隣接するようにして、コインを下方に集めるバケット１１およびコイン払出装置１２とが組み込まれ、コイン払出装置１２の手前側に払出口１２ａが設けられている。さらに、バケット１１およびコイン払出装置１２に隣接するようにして、オーバーフローしたコインを収容する補助収納庫１３が組み込まれている。
【００１７】
図２は、スロットマシン１における筐体２の内部を上側領域Ｓ１を中心に示す正面図、図３は、基板付リールユニット５を示す斜視図である。基板付リールユニット５は、図２に示すように、中板４の左右ほぼ中間位置に載置され、図示しない螺子を用いて固定または取り外し可能に設けられている。中板４には後述する主挿通孔３０が設けられている。
【００１８】
基板付リールユニット５は、図２および図３に示すように、リールユニット２０を有し、このリールユニット２０の内側に、シンボルが外周面に付された３つの機械式リール２１，２２，２３が後述する駆動ユニットの回転軸の回りに回転自在に設けられている。各リール２１，２２，２３は、内側にそれぞれランプ２１ａ，２１ｂ，２１ｃ，２２ａ，２２ｂ，２２ｃ，２３ａ，２３ｂ，２３ｃが設けられていて、各ランプの点灯により、決定したシンボルが遊技者による認識可能に表示される。
【００１９】
また、リールユニット２０の内側には、駆動ユニット２５ａ，２５ｂ，２５ｃが設けられている。駆動ユニット２５ａ，２５ｂ，２５ｃは、それぞれリール２１，２２，２３を駆動して回転させる機構を有している。
そして、基板付リールユニット５は、リールユニット２０とともに、主制御基板４０と副制御基板４１とを有し、通常の使用状態では、これらが一体化され、必要に応じて副制御基板４１が取り外し可能になっている。すなわち、主制御基板４０はリールユニット２０の上面２０ａに固定され、副制御基板４１は側面２０ｂに対して、図示しない着脱具による着脱自在となっている。
【００２０】
主制御基板４０は、スロットマシン１における動作のうち、ゲーム内容に直接的に関与する動作を制御するための制御ユニットが基板上に搭載された構成を有している。この制御ユニットは、図示しないが、ＣＰＵ（Central Processing Unit）、ＲＯＭおよびＲＡＭ（Random  Access  Memory）を有しており、そのＣＰＵがＲＯＭに記憶されているプログラムにしたがって作動し、リール２１，２２，２３の回転および停止や、各リールに付されたシンボルの組合わせの決定、その組合わせによる入賞可否判定、コインの払出等を制御する。なお、ＲＯＭには、ＣＰＵが実行するプログラムと、ゲームの入賞可否を判定するための入賞判定テーブル等の恒久的なデータが記憶され、ＲＡＭには、リールのコードナンバ、シンボルナンバ等のＣＰＵが作動する際に用いるデータやプログラムが記憶されている。
【００２１】
副制御基板４１は、スロットマシン１における動作のうち、ゲーム内容に直接的には関与しないゲーム演出用の動作を制御するための制御ユニットが基板上に搭載された構成を有している。この制御ユニットも、ＣＰＵ、ＲＯＭおよびＲＡＭを有しており、ＣＰＵがＲＯＭに記憶されているプログラムにしたがって作動し、ゲームの進行に合わせて後述するスピーカ２９による音声出力、液晶表示パネル１７による画像表示等を制御する。
【００２２】
一方、扉３には、その外側に、基板付リールユニット５の各リールに付されているシンボル（図示せず）を外側から視認するための表示窓１４が設けられている。また、表示窓１４の下側に、後述する操作入力部１５（図５参照）が設けられ、扉３の下部に、払い出されたコインをためるコイン受部１６が設けられている。そして、扉３の内側には、ゲーム演出用の画像表示を行う液晶表示パネル１７が設けられ、さらに、その下側に、後述する中継基板１８が設けられ、その中継基板１８に隣接するようにして、コイン受口１９が設けられている。また、扉３の内側下部に、音声出力を行うスピーカ２９が設けられている。
【００２３】
操作入力部１５は、図示しないスタートボタン、１ＢＥＴボタン、最大ＢＥＴボタン、停止ボタンおよび払出ボタンを有し、そのそれぞれの操作入力による操作信号を中継基板１８に入力する。なお、スタートボタンは、リールを始動させるための操作ボタン、１ＢＥＴボタンは１回の操作により、コインを１枚かける設定を行うための操作ボタンである。最大ＢＥＴボタンは１回の操作により、１ゲームに賭けることが可能な最大枚数のコインを賭ける設定を行うための操作ボタン、停止ボタンはリールの停止指示を入力するための操作ボタンである。払出ボタンは遊技者が獲得したコインのクレジットと払い出しとを切替える操作を行うとともに、クレジットされているコインがあればそのコインを払い出すための操作ボタンである。
【００２４】
中継基板１８は、図１に示すように、基板付リールユニット５を視認するための表示窓１４の配置場所を確保するため、扉３の内側において、基板付リールユニット５よりも下側に設けられている。この中継基板１８は、ゲームの制御に必要な操作信号を操作入力部１５から取り込み中継するための回路が搭載されている。すなわち、中継基板１８は、操作入力部１５から入力する操作信号を処理して、ゲーム内容に直接的に関与する動作を制御するために必要な制御用信号を主制御基板４０に入力し、ゲーム内容に直接的には関与しない動作を制御するために必要な制御用信号を副制御基板４１に入力する。
【００２５】
ここで、上述したスロットマシン１の主要部品、すなわち、基板付リールユニット５、電源ユニット１０、操作入力部１５および中継基板１８の配置関係および接続関係を図示すると、図５に示すようになる。図５は、スロットマシン１における基板付リールユニット５、電源ユニット１０、操作入力部１５および中継基板１８の配置関係および接続関係を示すブロック図である。図示のとおり、スロットマシン１では、基板付リールユニット５と電源ユニット１０とが筐体２の内部に配置される一方、中継基板１８と操作入力部１５とが扉３に配置され、しかも、基板付リールユニット５と電源ユニット１０とが中板４により上下に分かれて配置され、各主要部品を分割して配置した構造（以下この構造を「主要部品の分割配置構造」という）を有している。
【００２６】
そして、スロットマシン１は、基板付リールユニット５の主制御基板４０および副制御基板４１が、それぞれ主電源ケーブル５０および副電源ケーブル５１により電源ユニット１０に接続され、その電源ユニット１０から主電源ケーブル５０および副電源ケーブル５１を介して電力が供給されている。また、主制御基板４０および副制御基板４１が、それぞれ主中継ケーブル５２および副中継ケーブル５３により中継基板１８に接続され、その中継基板１８から主中継ケーブル５２および副中継ケーブル５３を介して制御用信号が入出力されるようになっている。
【００２７】
主中継ケーブル５２および副中継ケーブル５３は、信号線を複数束ねた幅広のケーブルであり、それぞれ両端には、接続用のコネクタ５２ａ，５３ａが固着されている。そして、そのコネクタ５２ａ，５３ａが、それぞれ主制御基板４０および副制御基板４１と、中継基板１８とに接続されている。
【００２８】
そして、図２および図４に示すように、基板付リールユニット５、電源ユニット１０、操作入力部１５および中継基板１８を接続する４本のケーブル、すなわち、主電源ケーブル５０および副電源ケーブル５１と、主中継ケーブル５２および副中継ケーブル５３は、すべて主挿通孔３０に挿通されている（以下これら４本のケーブルをまとめて「メインケーブル６０」という）。
【００２９】
この主挿通孔３０は、図２に示すように、基板付リールユニット５よりも、電源ユニット１０に近い位置に設けられ、電源ユニット１０のほぼ真上位置に設けられている。この主挿通孔３０は、図４にも示すように、主電源ケーブル５０および副電源ケーブル５１と、主中継ケーブル５２および副中継ケーブル５３のメインケーブル６０すべてを挿通可能な大きさを有し、これらメインケーブル６０を構成する４本すべてが挿通された状態で、コネクタ５２ａ，５３ａのいずれかを挿通可能な隙間３０ａが形成される大きさを有している。なお、図２〜図４では４本のケーブルすべてが挿通された状態を図示しているが、この主挿通孔３０には、少なくとも主電源ケーブル５０、副電源ケーブル５１を挿通すればよく、主中継ケーブル５２、副中継ケーブル５３は、中継基板１８の配置場所によっては、必ずしも主挿通孔３０に挿通することを要しない。
【００３０】
スロットマシン１では、上述した主要部品の分割配置構造において、基板付リールユニット５に対し、メインケーブル６０を構成する４本のケーブルが接続されているから、機種変更その他のメンテナンス作業を簡易に行えるようにするには、メインケーブル６０の配置場所がまとまっている方が望ましい。この点、スロットマシン１では、メインケーブル６０の各ケーブルすべてを挿通可能な主挿通孔３０を設けているからその各ケーブルを主挿通孔３０に挿通することによって、分散しがちなそれらのケーブルをうまくまとめられるようになり、また、扉３の開閉の際に各ケーブルを扉３に挟んでしまうこともない。さらに、主挿通孔３０が基板付リールユニット５よりも電源ユニット１０に近い、電源ユニット１０のほぼ真上位置に設けられているからメインケーブル６０が基板付リールユニット５の背後に隠れてしまうこともなく、抜差しを行いやすい。
【００３１】
また、スロットマシン１には、メインケーブル６０のほかに内部の配線に用いられる配線コード（図示せず）が存在するが、それらの配線コードを主挿通孔３０に挿通することもできるし、挿通しないようにすることもできる。仮に、主挿通孔３０にメインケーブル６０のほかの配線コードを挿通しないようにすると、スロットマシン１内部において、基板付リールユニット５につながるメインケーブル６０と他の配線コードの配置場所を明確に区別しやすくなるから、少なくともメインケーブル６０については、それぞれのケーブルが何と何とを接続しているのかの配線関係を把握しやすくすることができる。
【００３２】
そうすると、スロットマシン１では、機種変更の際に中心的な存在となる基板付リールユニット５の配線関係が明確になり、しかも、メインケーブル６０それぞれの抜差しが簡単に行えるから、機種変更その他のメンテナンス作業を非常に容易に行うことができるようになる。
【００３３】
もちろん、主挿通孔３０には、メインケーブル６０を挿通してもコネクタ５２ａを挿通するための隙間３０ａが形成される程度の余裕があるから、メインケーブル６０以外の配線コードを挿通することもできる。その場合は、コネクタ５２ａを挿通するための隙間３０ａを必要以上に狭めることがないように、配線コードの太さを考慮しつつ、コネクタ５２ａの通り道を確保可能な範囲で行えばよい。
【００３４】
一方、ゲームの仕様変更による機種変更の際には、基板付リールユニット５のうち、副制御基板４１をリールユニット２０からはずし、リールユニット２０または主制御基板４０か、あるいはその両方を交換する。その際には、主制御基板４０からコネクタ５２ａを外して主中継ケーブル５２を交換する場合もあるが、主挿通孔３０には、メインケーブル６０の挿通状態でコネクタ５２ａを挿通可能な大きさで隙間３０ａが形成されている。仮に、隙間３０ａがコネクタ５２ａを挿通可能な大きさで形成されないとすると、メインケーブル６０を挿通した時点で、もはや主挿通孔３０には、コネクタ５２ａを通す余裕がなくなり、主中継ケーブル５２や副中継ケーブル５３の交換に支障をきたすおそれがある。しかし、スロットマシン１には、主挿通孔３０にメインケーブル６０を挿通しても、隙間３０ａがコネクタ５２ａを挿通可能な大きさで形成されるので、コネクタ５２ａを主挿通孔３０を通して中板４から外すことができ、主中継ケーブル５２、副中継ケーブル５３の交換作業に支障をきたすことはない。
【００３５】
また、主挿通孔３０は、基板付リールユニット５よりも、電源ユニット１０に近い電源ユニット１０の真上位置に設けられているから、メインケーブル６０の余計な引き回しが無くなり、その長さを極力短くすることができる。
そして、主挿通孔３０は電源ユニット１０のほぼ真上位置に設けられている。すると、電源ユニット１０から発生する熱は電源ユニット１０から発生後に真上方向に上昇していくが、その熱の主要な伝達経路上に主挿通孔３０が配置される格好になる。また、主挿通孔３０は、メインケーブル６０を４本とも挿通しても、隙間３０ａが形成されるので、スロットマシン１の通常の使用状態でもふさがってしまうことがない。そのため、上側領域Ｓ１，下側領域Ｓ２を跨ぐ空気の循環が形成され、電源ユニット１０から発生する熱の移動が遮断されることもない。
【００３６】
したがって、スロットマシン１は、従来の遊技機のように電源ユニット１０から発生する熱が中板４により遮断されることはなく、その熱は主挿通孔３０を通って下側領域Ｓ２から上側領域Ｓ１に移動し、筐体２内部を循環するようになるから、電源ユニット１０から発生する熱の放出が効果的に行われるようになる。よって、スロットマシン１は、主挿通孔３０がケーブルの挿通および放熱の兼用挿通孔となるので、機種変更その他のメンテナンス作業の容易性を確保するとともに、電源ユニット１０から発生する熱の効果的な放出を行うことができる。
【図面の簡単な説明】
【００３７】
【図１】本実施の形態に係るスロットマシンの扉開放状態を示す正面図である。
【図２】スロットマシンにおける筐体の内部を上側領域を中心に示す正面図である。
【図３】基板付リールユニットを示す斜視図である。
【図４】主挿通孔とメインケーブルの主挿通孔付近を示す斜視図である。
【図５】スロットマシンにおける基板付リールユニット、電源ユニット、操作入力部および中継基板の配置関係および接続関係を示すブロック図である。
【符号の説明】
【００３８】
１…スロットマシン、２…筐体、３…扉、４…中板
５…基板付リールユニット，１０…電源ユニット
１５…操作入力部、１８…中継基板
２１，２２，２３…リール
３０…主挿通孔、３０ａ…隙間
４０…主制御基板、４１…副制御基板
５０…主電源ケーブル、５１…副電源ケーブル
５２…主中継ケーブル、５３…副中継ケーブル
６０…メインケーブル
Ｓ１…上側領域、Ｓ２…下側領域
【図１】
2005073952.tif 000003
【図２】
2005073952.tif 000004
【図３】
2005073952.tif 000005
【図４】
2005073952.tif 000006
【図５】
2005073952.tif 000007